(57)【要約】      （修正有）【課題】ユーザが単純に電力受信素子を携帯用機器に後から取り付ける。【解決手段】無線電力受信装置１５０は、無線により電力を受信できるように、携帯型電子デバイス１００に後から取り付けられる。装置は、例えば接着材２０１によってデバイスに取り付けられるように構成され、電力送信機と互いに近接する場合に送信機から電力を受信するように構成された電力受信素子２００を備える。１またはそれ以上の電力コネクタ２０３は、電力受信素子に電気的に接続され、装置が使用される場合に電力受信素子と電気的に結合され、素子により受信された電力をデバイスに供給するために携帯型電子デバイスの１またはそれ以上の対応する電源コネクタに接続されるように構成される。【選択図】図１
2010213570.tif 000002
【特許請求の範囲】
【請求項１】
携帯型電子デバイスに電力を供給するバッテリーを保持するように構成されたバッテリー区画を有する独立した前記携帯型電子デバイスとともに使用する誘導電力受信装置であって、独自には電磁誘導により無線で電力受信できない前記携帯型電子デバイスを電磁誘導により無線で電力受信可能にする誘導電力受信装置であり、
前記携帯型電子デバイスの内部に設けられるように構成されるとともに、電力送信機と互いに近接する場合に前記電力送信機から電磁誘導により無線で電力を受信するように構成された誘導電力受信素子と、
前記装置が使用される際に前記電力受信素子と電気的に結合され、前記素子により受信された電力を前記携帯型電子デバイスに供給するために前記携帯型電子デバイスの１またはそれ以上の対応する電源コネクタに接続されるように構成された１またはそれ以上の電源コネクタと
を備えることを特徴とする誘導電力受信装置。
【請求項２】
前記電力受信素子は、前記バッテリー区画の表面に設けられることを特徴とする請求項１記載の誘導電力受信装置。
【請求項３】
前記装置が使用される際に、前記バッテリー区画の少なくとも一部をカバーするために、前記電力受信素子を機械的に前記デバイスに取り付けるように構成された機械的付着手段をさらに備えることを特徴とする請求項１記載の誘導電力受信装置。
【請求項４】
前記１またはそれ以上の電源コネクタと前記電力受信素子とを柔軟に接続する可撓性を有する接続部材をさらに備えることを特徴とする請求項１記載の誘導電力受信装置。
【請求項５】
前記可撓性を有する接続部材は、前記１またはそれ以上の電源コネクタと前記電力受信素子とを電気的に接続する請求項４記載の誘導電力受信装置。
【請求項６】
前記携帯型電子デバイスへの供給に先立って前記電力受信素子から受信した電力を調整するように機能する電力調整回路をさらに備えることを特徴とする請求項１記載の誘導電力受信装置。
【請求項７】
前記電力受信素子は、前記携帯型電子デバイスに比較して小型であることを特徴とする請求項１記載の誘導電力受信装置。
【請求項８】
前記電力受信素子は、前記携帯型電子デバイスに比較して薄型であることを特徴とする請求項１記載の誘導電力受信装置。
【請求項９】
前記電力受信素子によって占められる体積は、前記携帯型電子デバイスによって占められる体積に比較して小さいことを特徴とする請求項１記載の誘導電力受信装置。
【請求項１０】
前記電力受信素子は、携帯型電子デバイスに取り付けられる際に、実質的に前記デバイスのエルゴノミクスを変更しないほど十分に小さい外形寸法を有することを特徴とする請求項１記載の誘導電力受信装置。
【請求項１１】
前記装置の動作状態の所定の指示を行う指示器をさらに備えることを特徴とする請求項１記載の誘導電力受信装置。
【請求項１２】
前記電力受信素子は、実質的に平板状であることを特徴とする請求項１記載の誘導電力受信装置。
【請求項１３】
前記電力受信装置は、可撓性を有することを特徴とする前記請求項のいずれかに記載の誘導電力受信装置。
【請求項１４】
請求項１記載の携帯型電子デバイスと誘導電力受信装置との組み合せ。
【請求項１５】
前記電力受信素子は、前記デバイスの内面部に取り付けられることを特徴とする請求項１４記載の組合せ。
【請求項１６】
前記内面部は、前記デバイスのバッテリー区画の表面部であることを特徴とする請求項１５記載の組合せ。
【請求項１７】
前記携帯型電子デバイスの前記１またはそれ以上の対応する電源コネクタは、内部の電源コネクタであることを特徴とする請求項１４記載の組合せ。
【請求項１８】
前記携帯型電子デバイスの前記１またはそれ以上の対応する電源コネクタは、バッテリーコネクタであることを特徴とする請求項１４記載の組合せ。
【請求項１９】
独自には電磁誘導により無線で電力受信できない独立した携帯型電子デバイスの表面部に付着して取り付けられるように構成されたステッカー形状の誘導電力受信素子であって、電力送信機と互いに近接する場合に前記送信機から電磁誘導により無線で電力を受信するように構成されるとともに、該素子は、前記デバイスの電源コネクタと電気的接続される電気的コネクタを有しており、前記誘導電力受信素子と前記携帯型電子デバイスとの間の前記付着による取り付けは、前記電気的な接続から独立していることを特徴とする誘導電力受信素子。
【請求項２０】
前記ステッカーの付着面と反対側の面は、前記ステッカーが前記デバイスに取り付けられる場合に、前記反対側の面に隣接する前記携帯型電子デバイスの表面部に外見上一致することを特徴とする請求項１９記載の誘導電力受信素子。
【請求項２１】
前記ステッカーは、付着面とは反対側の面において、挿入物を持つ実質的に透明なポケットを備えることを特徴とする請求項１９記載の誘導電力受信素子。
【請求項２２】
誘導電力受信機能を備えない携帯型電子デバイスが前記誘導電力受信機能を備えるようにする構成方法であって、前記携帯型電子デバイスはバッテリーを保持するように構成されたバッテリー区画を備え、
前記バッテリー区画の背面を形成する、電磁誘導により電力受信できない取替えカバー部を取外し、
電力送信機と互いに近接する場合に前記送信機から電磁誘導により無線で電力を受信するように構成された誘導電力受信素子を含む別の取替えカバー部を、前記バッテリー区画の背面を形成するように前記デバイスに取り付け、
前記素子に電気的に接続される１またはそれ以上の電源コネクタを、前記素子によって受信される電力が前記デバイスに供給されるように、前記デバイスの１またはそれ以上の対応する電源コネクタに接続することを特徴とする構成方法。
【請求項２３】
前記電力受信素子は、前記携帯型電子デバイスの前記バッテリー区画の背面に設けられることを特徴とする請求項１記載の誘導電力受信装置。
【請求項２４】
前記誘導電力受信装置は、前記携帯型電子デバイスへの供給に先立って前記電力受信素子から受信した電力を調整するように機能する電力調整回路をさらに備えることを特徴とする請求項１４記載の組合せ。
【請求項２５】
前記電力受信素子と前記１またはそれ以上の電源コネクタとの間に延びる１またはそれ以上の電気的連結部を備え、前記装置が使用されないときに、前記１またはそれ以上の電気的連結部は前記電力受信素子および／または前記１またはそれ以上の電源コネクタから取り外し可能であることを特徴とする請求項１記載の誘導電力受信装置。
【請求項２６】
前記ステッカーは、前記素子が前記デバイスに取り付けられる時点において取り外される、接着面において取り外し可能な裏紙を備えることを特徴とする請求項２１記載の誘導電力受信素子。
【請求項２７】
独自には電磁誘導により無線で電力受信できない携帯型電子デバイスのための取替えカバー部であって、前記携帯型電子デバイスは、前記携帯型電子デバイスに電力を供給するバッテリーを収容するように構成されたバッテリー区画を有しており、
前記取替えカバー部は、
ボディーと、
前記ボディー上又は前記ボディー内に設けられるとともに、電力送信機と互いに近接する場合に前記電力送信機から電磁誘導により無線で電力を受信するように構成された誘導電力受信素子と、
前記誘導電力受信素子に電気的に接続され、前記取替えカバー部が前記デバイスに配置される場合に前記携帯型電子デバイスの１またはそれ以上の対応する電源コネクタに接続されるように構成された１またはそれ以上の電源コネクタと
を備え、
前記携帯型電子デバイスのバッテリー区画を覆うように構成されていることを特徴とする取替えカバー部。
【請求項２８】
前記デバイスの１またはそれ以上の対応するバッテリーコネクタおよび／または前記デバイスに設置された１またはそれ以上のバッテリーの端子に接続されるように構成された１またはそれ以上のバッテリーコネクタを備えることを特徴とする請求項２７記載の取替えカバー部。
【請求項２９】
前記カバー部の前記１またはそれ以上のバッテリーコネクタは、前記バッテリー端子と前記デバイスの前記対応するバッテリーコネクタとの間に挟まれるように構成されていることを特徴とする請求項２８記載の取替えカバー部。
【請求項３０】
前記バッテリー区画は、前記取替えカバー部が前記デバイスに配置される場合に、前記バッテリー区画に動作可能に組み込まれるような再充電可能なバッテリーを少なくとも１つさらに有しまたは組み入れており、前記電力受信素子は、電力が前記送信機から無線により受信される場合に前記バッテリーの充電のために前記バッテリーに動作可能に接続されていることを特徴とする請求項２７記載の取替えカバー部。
【請求項３１】
移動体通信ネットワークの端末用の取替えカバー部であることを特徴とする請求項２７記載の取替えカバー部。
【請求項３２】
前記電力受信素子は、前記携帯型電子デバイスの取替えカバー部の一部を形成することを特徴とする請求項３１記載の誘導電力受信装置。
【請求項３３】
独自には電磁誘導により無線で電力受信できない独立した前記携帯型電子デバイスに機械的に取付けられるように構成されるとともに、電力送信機と互いに近接する場合に前記電力送信機から電磁誘導により無線で電力を受信するように構成された誘導電力受信素子であって、前記誘導電力受信素子は、前記デバイスの電源コネクタと電気的接続される電気的コネクタを有しており、前記誘導電力受信素子と前記携帯型電子デバイスとの間の前記機械的な取り付けは、前記電気的な接続から独立していることを特徴とする誘導電力受信素子。
【請求項３４】
前記誘導電力受信素子と前記携帯型電子デバイスとは、クリップで取付けられていることを特徴とする請求項３３記載の誘導電力受信素子。
【発明の詳細な説明】
【技術分野】
【０００１】
本発明は、無線により電力を受信する携帯型電子機器の構成に関する。
【背景技術】
【０００２】
今日の携帯型デバイスの多くは、外部のアダプタを一時的にデバイスの電源コネクタに取り付けることによって再充電することができる内蔵二次電池またはバッテリーを含む。しかしながら、このことはユーザにとっては多少やっかいである。なぜなら、手先の器用さが必要であり、両手が必要であり、特に、異なる製造者が互換性のないコネクタを用い、正しいアダプタをそれぞれのデバイスに設置しなければならないからである。
【０００３】
外部アダプタを取り付けることなくデバイスを充電するために、種々の手段が提案されている。これらは、以下のものを含む。
・デバイスの受信接点と結合する接点配列を設けることによって電力を供給する面。その例は、以下のものを含む。
・学術の世界においては、英国ケンブリッジ大学工学部通信工学研究室のＪａｍｅｓ  ＳｃｏｔｔおよびＦｒａｎｋ  Ｈｏｆｆｍａｎによって導かれたネットワークサーフィス。
・産業の世界においては、米国Ｍｏｂｉｌｅ  Ｗｉｓｅによって提案された無線電力基板
・例えば下記の特許文献１に開示されているような、接触することなく誘導によりデバイスに電力を供給する面。このシステムにおいては、その機器は、誘導により電力を受信し、電力を調整し、その機器のバッテリーおよび電子機器に電力を供給するための実質的に平板状のエレメントを組み入れている。
【先行技術文献】
【特許文献】
【０００４】
【特許文献１】国際特許公開第０３／９６５１２号
【発明の概要】
【発明が解決しようとする課題】
【０００５】
これらの解決策は、一般的には、製造工程において電力受信素子を組み入れるために、製造会社によってデバイスのデザインが修正される必要がある。しかしながら、すでに不可能になっている携帯用機器が非常に多く存在する。それにより、ユーザが単純に電力受信素子をデバイスに後から取り付けることによって、現存するデバイスを可能なものにする解決策があると便利である。
【課題を解決するための手段】
【０００６】
本発明の第１の態様によれば、携帯型電子デバイスとともに使用し、携帯型電子デバイスを無線による電力受信可能にする無線電力受信装置が提供されている。この無線電力受信装置は、携帯型電子デバイスに取り付けられるように構成され、また、電力送信機と互いに近接する場合に電力送信機から無線により電力を受信するように構成された電力受信素子と、無線電力受信装置が使用される際に電力受信素子と電気的に結合され、電力受信素子により受信された電力を携帯型電子デバイスに供給するための携帯型電子デバイスの１またはそれ以上の対応する電源コネクタに結合されるように構成された１またはそれ以上の電源コネクタとを備える。
【０００７】
本発明の利点は、ユーザが現存する携帯型デバイスに容易に無線電力転送機能を付加させることができることである。
【０００８】
使用の際、ユーザは単に電力受信素子を携帯型デバイスに取り付け、電源コネクタを携帯型デバイスの対応する電源コネクタに接続する。それにより、デバイスは、例えば電磁誘導法により電力送信機（例えば、外部充電器）から無線で電力を受信できるようになる。
【０００９】
電力受信素子のデバイスへの取り付け手段は、接着でもよく、クリップのような機械的な手段でもよい。電力受信素子は、あるいは、デバイスにスナップフィットすることもでき、デバイス上を滑ることもできる。素子は、取り外し可能であってもよく、一度適用されれば取り外しできなくてもよい。
【００１０】
携帯型電子デバイスへの電力受信素子のさらに他の取り付け方法は、電力受信素子と少なくとも１つの電源コネクタとの間の固定接続を備えることである。この場合、携帯型電子デバイスの対応する電源コネクタへのその電源コネクタまたはそれらの電源コネクタの接続が、接着またはクリップのようないかなる取り付け手段を必要とすることなく、デバイスに電力受信素子を機械的に取り付ける機能を果たす。
【００１１】
電力受信素子の携帯型電子デバイスへの他の取り付け方法は、携帯型電子デバイスの取替えカバー部の一部としての電力受信素子を形成することである。携帯電話のようなデバイスは、ユーザがデバイスの外観または外板を変えることができるように、取替え可能カバー部を備える。
【００１２】
任意で、電源コネクタは、可撓性を有する接続部材により電力受信素子に取り付けられてもよく、それにより、便利な将来利用のために電力受信素子が取り付けられている間に電源コネクタは、挿入されデバイスの電力入力部から取り外すことができる。好ましくは、可撓性を有する接続部材は、１またはそれ以上の電源コネクタを電気的に電力受信素子に接続する役目を果たす。
【００１３】
一実施例において、電力受信素子と電源コネクタとの間に延びる電気的接続部（例えば、配線）は、装置が使用されていない間、電力受信素子からおよび／または電源コネクタから取り外すことができる。これにより、電力受信素子が取り付けられている間、電気的接続部および電源コネクタは、起こりうる損傷から保護するために取り外すことができる。
【００１４】
電気的接続部を取り外し可能にすることにより、異なる携帯型電子デバイスとの使用のための数種類の異なる形態の電源コネクタ（または電源コネクタにフライヤリードのような電気的接続部材が加わったもの）の他に１つの形態の電力受信素子を提供することもできる。
【００１５】
任意に、電源コネクタは、デバイスに接続される場合にデバイスが貫通方法により従来のアダプタに接続されるように、デバイスの電力受信入力部と同様の接続手段を組み込んでいてもよい。
【００１６】
携帯型電子デバイスは、外部機器の対応する第２の接続手段と接続するように構成される第１の接続手段を備えていてもよい。第１の接続手段は、信号またはデータの入力／出力以外の他の目的のために１またはそれ以上のさらなるコネクタとともに、携帯型電子デバイスの１またはそれ以上の対応する電源コネクタを備える。この場合、無線電力受信装置は、デバイスの第１の接続手段と接続されるように構成されかつ無線電力受信装置の１またはそれ以上の電源コネクタを備える第３の接続手段と、外部機器の第２の接続手段と接続されるように構成された第４の接続手段と、第３の接続手段および第４の接続手段の対応するコネクタのうち少なくとも１つのコネクタを相互接続させる貫通端子装置とを備える。
【００１７】
第３および第４の接続手段は、電源コネクタ部または電源コネクタブロックが外部機器（例えば、携帯電話用の車のハンドフリークレードル）と携帯型電子デバイスとの間に挟まれるように、電源コネクタブロックまたは電源コネクタブロックの対面に設けられていてもよい。電力を外部機器から供給できることが好ましいが、貫通端子装置は、第３および第４の接続手段の電源コネクタを相互接続させる必要はない。貫通端子装置は、第３および第４の接続手段の信号またはデータコネクタを相互接続させる役目を果たすことができる。
【００１８】
電力受信素子によって受信される電力がデバイスに供給される前に電力調整されなければならないのであれば、電力調整回路は、電力受信素子または電源コネクタに任意に組み込まれていてもよい。
【００１９】
本発明のすべての構成要素、特に接着材は、実質的に耐水性を任意に備えていてもよい。
【００２０】
電力受信素子は、デバイスに接着される場合にデバイスの一部に見えるように、任意に色づけられ、織り目加工されてもよい。あるいは、またはさらに、電力受信手段は、例えば、ロゴや広告のような文字または絵を有していてもよい。
【００２１】
電力受信素子は、その絵等が滑り込めるような、実質的に透明なポケットを含んでいてもよい。
【００２２】
他の実施例においては、送信機と近接するように配置されなければならない電力受信素子の一部は、区別して、印が付されるか色づけられるかまたはラベルが貼られる。このように、ユーザは、電力が送信機から電力受信素子に効果的に転送されるように、（携帯型電子デバイスに取り付けられた）電力受信素子を送信機と比較関連して配置させるまたは正しい位置に置く方法を知ることができる。
【００２３】
電力が受信され、および／またはデバイスに供給される場合に指示するために、電力指示器が電力受信素子または電源コネクタに任意に設けられていてもよい。指示器は、光（ＬＥＤまたは電子発光パネルでもよい）、音または振動を発してもよい。
【００２４】
電力受信素子は、デバイスの外部に設けられる代わりにデバイスの内部（例えば、バッテリー区画の背面）に設けられてもよい。
【００２５】
電源コネクタは、デバイス内の内部電源端子、可能であればバッテリーおよび／またはバッテリー端子に接続されていてもよい。
【００２６】
電力受信素子は、実質的に平板状であることが好ましい。あるいは、好ましくはさらに、電力受信素子は可撓性を有している。これらの特徴により、電力受信素子を適切な内面部分または外面部分において携帯型電子デバイスに取り付けることが容易になる。内面部分に取り付けられる場合、電力受信素子を平板状のおよび／または可撓性を有するものにすることにより、バッテリー区画のような閉じられた空間においてさえ都合よく素子を取り付けることができる。外面部分に取り付けられる場合、これらの特徴により携帯型電子デバイスの全体形状および／またはエルゴノミクスにほとんど影響を与えることなく電力受信素子を取り付けることができる。
【００２７】
本発明の第２の態様によれば、前述の本発明の第１の態様に係る携帯型電子デバイスと無線電力受信装置との組合せが提供される。
【００２８】
以下の不完全な表は、本発明を用いることができるデバイスの例を示す。可能なデバイス、下記のデバイスに限定されるものではない。
【００２９】
・例えば、ラジオ、携帯電話またはトランシーバーのような移動体通信デバイス
・例えば、携帯情報端末、パームトップコンピュータまたはラップトップコンピュータのような携帯型コンピュータデバイス
・例えば、音楽プレーヤー、ゲーム機または玩具のような携帯型電子娯楽機器
・例えば、歯ブラシ、シェーバーまたはヘアカーラーのような個人ケア用品
・例えば、ビデオレコーダーまたはカメラのような携帯型撮像装置
・例えば、例えば、コーヒーマグカップ、皿、料理鍋、マニキュアおよび化粧品容器のような加熱を必要とする内容物の容器
・例えば、トーチ、時計および扇風機のような消費者用デバイス
・上記のいずれかへ組み入れるためのバッテリーパック
・標準サイズの電池
電池のような非知的２次装置の場合においては、高機能な充電制御手段が、電池への誘導電力を測定する必要があり、デバイスの多数の電池が異なる荷電状態を有している状態を処理する必要がある。さらに、電力送信機が「充電された」状態を指示できることがより重要になる。他の電子デバイスに配置された場合に２次電池またはバッテリーが容易に目に見えないかもしれないからである。
【００３０】
本発明の第３の態様によれば、携帯型電子デバイスの表面部に付着して取り付けられるように構成されたステッカー形状の電力受信素子であって、電力送信機と互いに近接する場合に電力送信機から無線により電力を受信するように構成され、デバイスの電源コネクタと電気的接続がなされる接続手段を備える電力受信素子が提供される。
【００３１】
電力受信素子をステッカー形状にすることにより、ユーザは、電力受信素子を携帯型電子デバイスに後から容易に取り付けることができる。
【００３２】
転送および取り付けを便利にするために、ステッカーは、接着面に取り外し可能な裏紙であって、素子をデバイスに取り付ける時点において取り外されるものを備えていることが好ましい。
【００３３】
ステッカーの接着面と反対側の面は、ステッカーがデバイスに取り付けられる場合にその反対側の面に隣接する携帯型電子デバイスの表面部に外見上一致する。これにより、ステッカー形状の電力受信素子は携帯型電子デバイスの外部に目立たないようにまたは見えないように取り付けることができる。
【００３４】
他の実施例においては、ステッカーは、接着面とは反対側の面において、挿入物を有する実質的に透明なポケットを備える。挿入物は、例えばロゴや広告のような文字または絵を有する。
【００３５】
本発明の第４の態様によれば、携帯型電子デバイスの取替えカバー部であって、電力送信機と互いに近接する場合に送信機から無線により電力を受信するように構成された電力受信素子を有しまたは組み入れており、デバイスの電源コネクタと電気的接続がなされる接続手段を備える取替えカバー部が提供される。取替えカバー部は、置き換わったカバー部と実質的に同じ大きさおよび同じ形状を有することが好ましい。あるいは、取替えカバー部は、置き換わったカバー部より薄くてもよく、接続手段を電源コネクタと接続させるために、電源コネクタを収容する携帯型電子デバイスの面を越えて延びていてもよい。
【００３６】
一実施例において、取替えカバー部は、デバイスに配置される場合に携帯型電子デバイスの１またはそれ以上の対応する電源コネクタに接続されるように配置される１またはそれ以上の電源コネクタを備える電源コネクタ部を備える。電源コネクタ部は、取替えカバー部の取り付けが取替えカバー部の１またはそれ以上の電源コネクタと携帯型電子デバイスの１またはそれ以上の対応する電源コネクタとを自動的に電気的接続するように、取替えカバー部の残りの部分に固定または半固定（例えば、弾力的に）される。
【００３７】
他の実施例においては、取替えカバー部は、携帯型電子デバイスのバッテリー区画を覆い、デバイスの１またはそれ以上の対応するバッテリーコネクタおよび／またはデバイスに組み込まれたバッテリーの１またはそれ以上の端子に接続されるように構成される１またはそれ以上のバッテリーコネクタを備える。例えば、取替えカバー部の１またはそれ以上のバッテリーコネクタは、バッテリー端子とデバイスの対応するバッテリーコネクタとの間に介在するように構成されていてもよい。
【００３８】
他の実施例においては、取替えカバー部は、携帯型電子デバイスのバッテリー区画を覆い、少なくとも１つの再充電可能なバッテリーを備えるまたは組み込んでいる。取替えカバー部がデバイスに配置される場合、バッテリーは、バッテリー区画に動作可能に組み込まれる。電力受信素子は、電力が無線により送信機から受信される際にバッテリーの充電のためにバッテリーに動作可能に接続される。
【００３９】
取替えカバー部は、例えば、移動体通信ネットワークの端末用の取替えカバー部である。
【００４０】
本発明の第５の態様によれば、無線による電力受信機能を備えない携帯用電子デバイスの構成方法であって、電力送信機と互いに近接する場合に送信機から無線により電力を受信するように構成される電力受信素子をデバイスに取り付け、素子に電気的に接続される１またはそれ以上の電源コネクタを素子によって受信される電力がデバイスに供給されるようにデバイスの１またはそれ以上の対応する電源コネクタに接続する構成方法が提供される。
【００４１】
本発明のさらなる態様によれば、電力受信用の取り付け手段であって、
ｉ）エルゴノミクスをほとんど変更することなく、現存する携帯型デバイスに取り付けられるほど十分に小さい外形寸法を備える実質的に平板状の電力受信手段
ｉｉ）現存する携帯型デバイスの電力入力部に取り付けることができる電源コネクタ
ｉｉｉ）携帯型デバイスに上記事柄の一部または全てを取り付ける手段
を備える手段が提供される。
【図面の簡単な説明】
【００４２】
【図１】図１ａは携帯型電子デバイスおよび本発明に係る無線電力受信装置の第１の例の側面図、図１ｂは図１ａの端面図、図１ｃは図１ａに対応する平面図である。
【図２】図２ａ〜２ｃは、それぞれ、携帯型電子デバイスおよび本発明に係る無線電力受信装置の第２の例の側面図、端面図および平面図である。
【図３】図３ａおよび３ｂは、それぞれ、本発明に係る電力受信素子の平面図および側面図である。
【図４】本発明の一実施例に係る装置に含まれる回路部分の回路図である。
【図５】本発明の一実施例に係る装置の電力コネクタの断面図である。
【図６】本発明の一実施例に係るステッカー形状の電力受信素子の斜視図である。
【図７】本発明の他の実施例に係る電力受信素子の斜視図である。
【図８】移動体通信ネットワーク用の端末の部品、バッテリーパックおよび本発明の一実施例に係る端末用取替えカバー部の斜視図である。
【図９】図８の端末、バッテリーパックおよび本発明の他の実施例に係る端末用取替えカバー部の斜視図である。
【図１０】図８の端末および本発明のさらに他の実施例に係る端末用取替えカバー部の斜視図である。
【発明を実施するための形態】
【００４３】
図１は、本発明の第１実施例に係る装置１５０の部品と、その装置とともに用いられる携帯型電子デバイス（携帯電話機）１００の一例とを示す。従来のデバイスは、無線により電力を受信する機能を持っていない。
【００４４】
図１ａの側面図に示すように、デバイス１００は、本例においてはソケットとなる電源コネクタ１０１を備える。装置１５０は、実質的に平板状の電力受信素子２００、接着層２０１、可撓性を有する接続部材（可撓性を有する配線）２０２およびそのデバイスの電源コネクタ１０１に差し込むことができる電源コネクタ２０３を備える。
【００４５】
図１ｂおよび図１ｃは、図１ａの装置の端面図および平面図である。携帯型のデバイス１００の裏面（下面）は、図１ａでは最上部であり、素子２００が取り付けられるのはこの面である。
【００４６】
図２ａ〜２ｃは、本発明の第２実施例に係る装置１６０を除けば、図１ａ〜図１ｃに一致する図である。この場合、デバイス電源接点（第１の接続手段）１１１ａ，ｂは、ソケットの代わりの接触片である。これらのデバイス電源接点１１１ａ，ｂは、充電器のような外部機器（図示せず）の対応する合わせ片（第２の接続手段（図示せず））に接続するように構成されている。その装置の電源コネクタ部２１３は、内面２１４に設けられかつデバイスの電源接点１１１ａ，ｂと電気的に接触するように対応する合わせ片（第３の接続手段）２１５ａ，ｂを備える。また、第２の接続手段を備える例えば車内ハンドフリーユニットまたは充電器のような他の機器が接続されるように、さらにコネクタ（第４の接続手段）２１７ａ，ｂが電源コネクタ部２１３の外面２１６に設けられている。これらのコネクタ２１７ａ，ｂは、電源コネクタ部２１３に組み込まれた貫通端子装置によって、対応する接点２１５ａ，ｂに電気的に接続される。コネクタ２１５ａ，ｂおよび２１７ａ，ｂは、例えば信号およびデータの入力／出力を行うといった電力供給以外の目的のために用いられるコネクタを含んでいてもよい。
【００４７】
図３ａおよび図３ｂは、それぞれ、本発明の実施例に用いられる実質的に平板状の電力受信素子２００の一例の平面図および側面図である。磁気コアは、それぞれ５０×３０×０．０２ｍｍの寸法を持つ６つのアモルファス金属４００が積み重なって構成される。これらの周りには、例えば銅線、テープ、型打ちされたまたはプレス加工が施された金属からなるコイル３００が巻かれている。この場合、そのコイルは、センタータップとともに磁気コアを３０周回り、図４で述べる回路に接続される３つの接続部２０２に電流を供給する。素子全体は、０．２ｍｍ以下の厚さにすることができることから、容易に曲がりやすく、そのため適用されるデバイスの非平板状のどの部分にも順応し、また割れにくい。
【００４８】
図３ａ，３ｂに示す電力受信素子の例および適切な電力受信素子の他の例に関するさらなる情報は、国際特許公開第０３／０９６３６１号および国際特許公開第０３／０９６５１２号に記載されており、参照することによって本明細書において組み込まれる。電力受信素子に用いるのに適した無線電力送信機の種々の形態も、これらの特許文献に開示されている。
【００４９】
図４は、電力受信素子から与えられる交流を携帯型電子デバイス用に適した電力に変換することができる回路４５０を示す。平行共鳴コンデンサ５０１は、コイルを調整し、それにより、増加した電力伝達が許容される。１００ｎＦの値は、コアの正確な材料およびコイルの構造に依存し、したがってインダクタンスに依存する。交流は、ダイオード５００により全波整流される。０．３Ｖの順電圧降下のショットキーダイオードは、最良の性能を発揮する。コンデンサ５０２は、直流を平滑化する。この地点における電圧は、調整されていないが、携帯型デバイス内の次の電子機器に送られるには十分である。任意の電圧調整器５０３は、調整されていない電力を利用できないデバイス用に電圧を制限する。この調整器は、線形モードのものでも切替モードのものでもよく、また、任意に他の保護回路またはシステム管理回路を含んでいてもよい。任意の指示器５０４は、電力が受信されていることを指示する。
【００５０】
図３ａ，図３ｂおよび図４の他の構成は、ダイオード５００の代わりに完全ブリッジ整流回路を用い、それによってセンタータップの必要性を取り除くが、全体の電力ロスが大きくなる。この構成では、同調コンデンサは、平行共鳴であっても直列共振であってもよい。
【００５１】
図５は、電源コネクタ６００の一実施例の詳細図である。たる型の突起は、携帯型デバイスの電力入力ソケット内で接点と接する２つの誘導リング６０１，６０２を有する。図４の回路４５０は電源コネクタに含まれ、任意の電力指示器５０４は、外部に見えるようになっている。コネクタ６００は可撓性を有する配線２０２の端部６０３から任意に取り外し可能であり、それによって、異なる電源コネクタを適切な回路（パワーエレクトロニクス）４５０とともに特殊なデバイスに取り付けることができる。
【００５２】
あるいは、可撓性を有する配線２０２の一端は電力受信素子２００から取り外し可能であり、他端は電源コネクタ６００に永久接続されていてもよい。これにより、電源コネクタ６００および可撓性を有する配線２０２をユニットとして販売することが可能となり、電力受信素子を他のユニットとして販売することが可能となる。また、これにより、ただ１つの形態の電力受信素子を提供しつつ、異なる携帯型電子デバイスとともに動作するような異なる種類の電源コネクタおよび可撓性を有する配線を提供することができる。可撓性を有する配線および電源コネクタおよび／または電力受信素子の間の取り外し可能な接点は、プラグまたはソケットのような適切な電気的接続装置によって形成することができる。
【００５３】
本発明の好ましい実施形態は、図６に模式的に描かれている。この実施形態においては、電力受信素子はステッカー７００の形状を有する。素子７００は、一面７０１上に接着層７０２を備える。その素子は、携帯型電子デバイスへの取り付けに先立って接着層７０２を保護する取り外し可能な裏紙７０３とともに提供される。裏紙７０３は、ユーザが一面７０１上の接着層７０２を露出させることによってはがされる。裏紙をはがした後に、ユーザは、接着層７０２側の電力受信素子を携帯用電子デバイスに対して単純に押し付ける。
【００５４】
図７は、本発明の他の実施例に係る電力受信素子の斜視図である。この実施例においては、電力受信素子８００は、デバイスに取り付けられる場合にユーザに見える側の面８０１上に、透明なポケット８０２を有する。紙またはカードの紙片等の挿入物８０３は、ポケット８０２内に備わる。その挿入物には、ロゴや広告等の文字または絵が描かれていてもよい。
【００５５】
本発明に係る装置の他の好ましい実施形態は、携帯型電子デバイス自身の取替えカバー部の形態である。取替えカバー部を有する数種類の携帯型電子デバイスは、市販されている。いくつかの大手製造業者によって製造された移動体通信ネットワーク用の携帯電話は、一例である。そのようなデバイス用の取替えカバー部は、少なくとも本発明に係る装置の電力受信素子を有利に備えまたは組み入れている。
【００５６】
図８は、携帯電話９００の斜視図である。携帯電話９００は、取り外し可能なバッテリーパック９０４を保持するためのバッテリー区画９０２を備える。取り外し可能なバッテリーパック９０４は、例えば、再充電可能なバッテリーパックである。バッテリーパック９０４は、バッテリーパック９０４がバッテリー区画に取り付けられる際に、バッテリー区画９０２内において携帯電話９００の対応するバッテリーコネクタ９０６に接続される端子（図示せず）を備える。携帯電話９００はまた、下端９１０に電源コネクタ９０８を備える。
【００５７】
本発明の一実施例に係る取替えカバー部９５０は、携帯電話９００に取り付けられるように構成される。本実施例における取替えカバー部は、裏面カバー部であり、他の部品と同様に携帯電話９００のバッテリー区画９０２を覆う。カバー部９５０は、内面にまたは内蔵するように電力受信素子９５２を備える。素子９５２は、例えば、上述した電力受信素子２００と同様のものでもよい。カバー部９５０は、携帯電話９００の下端９１０を越える一端９５４まで延びるように形成されている。一端９５４においては、カバー部９５０は、１またはそれ以上の電源コネクタ９５８を備える電源コネクタ部９５６を備える。１またはそれ以上のその電源コネクタは、直接または図４の回路４５０のような電力調整回路を経由して、適切な方法により（図示せず）電力受信素子９５２に接続される。１またはそれ以上の電源コネクタ９５８は、携帯電話の電源コネクタ９０８の対応する電源コネクタに接続されるように構成される。この装置は、携帯電話９００へのカバー部９５０の取り付けがその携帯電話の電力受信素子９５２と電源コネクタ９０８との間に必要な電気的接続を自動的に行う点において便利である。もし必要であれば、カバー部９５０の電源コネクタ部９５６は、カバー部９５０の残りの部分に、固定されずに半固定的に（弾力的に）接続されていてもよい。これにより、カバー部の電源コネクタ９５８は、携帯電話に取り付けられる際に、携帯電話９００の対応する電源コネクタに容易に接続されるようになる。
【００５８】
図９は、電力受信素子が取替えカバー部に備わるまたは組み入れられる場合の他の実施例を示す。図９においては、取替えカバー部１０００は、図８のカバー部９５０の延長端９５４も電源コネクタ９５６も備えていない。代わりに、内部の電源コネクタ部１００２が、好ましくは図４の回路４５０のような電力調整回路を経由して電力受信素子９５２に接続されている。この接続は、可撓性を有する配線１００４を用いてなされる。電源コネクタ部１００２は、バッテリーパック９０４のバッテリー端子と携帯電話９００のバッテリー区画９０２内において形成される電源コネクタ９０６との間に介在できるくらいに十分に薄い。図２で述べた方法と同様の方法により、電源コネクタ部１００２は、両方の主面にそれぞれ１組の接点を備える。その２組の接点は、貫通端子装置によって同時に接続されている。これにより、電力受信素子が送信機から無線により電力を受信していない場合に、バッテリーパック９０４から電源コネクタ９０６に電力が供給される。
【００５９】
図１０は、取替えカバー部１０５０が電力受信素子９５２に加えて再充電可能バッテリーパック１０５４を備えるまたは組み込む場合の他の実施例を示す。電力受信素子９５２とバッテリーパック１０５４との間の電気的接続は、カバー部１０５０に取り付けられるまたは組み込まれる適切な手段（図示せず）によってなされる。取替えカバー部１０５０の携帯電話９００への取り付けによって、バッテリーパック１０５４のバッテリー端子は携帯電話９００の電源コネクタ９０６に接続される。
【００６０】
本発明の好ましい特性は、本発明のどのような態様に対しても適用でき、考えられるあらゆる組合せで使用される。
【００６１】
本明細書の説明と特許請求の範囲を通じて、語「〜を具備する（comprise）」、「〜を包含する（contain）」およびこれらの語の変形、例えば、「〜を備えている（comprising）」および「〜を備える（comprises）」は、「〜を含んでいるが、〜に限定されない」という意味であり、列挙されていない構成要素、整数、一部分、添加物またはステップを除外することを意図していない（かつ、除外するものではない）。
【００６２】
なお、添付図面は、本発明をよりよく理解し、かつ、本発明が実施される形態を説明するために、次に、一例としての目的のためだけに参照されるものである。
【図１】
2010213570.tif 000003
【図２】
2010213570.tif 000004
【図３】
2010213570.tif 000005
【図４】
2010213570.tif 000006
【図５】
2010213570.tif 000007
【図６】
2010213570.tif 000008
【図７】
2010213570.tif 000009
【図８】
2010213570.tif 000010
【図９】
2010213570.tif 000011
【図１０】
2010213570.tif 000012
【手続補正書】
【提出日】平成22年7月12日(2010.7.12)
【手続補正１】
【補正対象書類名】特許請求の範囲
【補正対象項目名】全文
【補正方法】変更
【補正の内容】
【特許請求の範囲】
【請求項１】
携帯型電子デバイスに電力を供給するバッテリーを有する独立した前記携帯型電子デバイスとともに使用する誘導電力受信装置であって、独自には電磁誘導により無線で電力受信できない前記携帯型電子デバイスを電磁誘導により無線で電力受信可能にする誘導電力受信装置であり、
前記携帯型電子デバイスに取付けられるカバーであって、拡張部を形成するために前記携帯型電子デバイスの面を超えて延びるとともに、少なくとも前記携帯型電子デバイスの背面を覆うカバーと、
前記カバーの内部に組み込まれるか又は前記カバーの表面に設けられ、電力送信機と互いに近接する場合に前記電力送信機から電磁誘導により無線で電力を受信するように構成された誘導電力受信素子と、
前記装置が使用される際に前記電力受信素子と電気的に結合され、前記素子により受信された電力を前記携帯型電子デバイスに供給するために前記携帯型電子デバイスの１またはそれ以上の対応する電源コネクタに接続されるように構成された１またはそれ以上の誘導電力受信装置電源コネクタと
を備え、
前記１またはそれ以上の誘導電力受信装置電源コネクタは、前記拡張部に保持されており、前記拡張部は、前記誘導電力受信装置電源コネクタが前記携帯型電子デバイスの前記電源コネクタに電気的に結合することを許容することを特徴とする誘導電力受信装置。
【請求項２】
前記携帯型電子デバイスの前記電源コネクタは、前記誘導電力受信装置が前記携帯型電子デバイスに取付けられているときに、アクセスできないようになっていることを特徴とする請求項１記載の誘導電力受信装置。
【請求項３】
前記カバーは、前記装置が使用される際に、バッテリー区画の少なくとも一部をカバーするために、前記電力受信素子を機械的に前記デバイスに取り付けるように構成された機械的付着手段を含むことを特徴とする請求項１記載の誘導電力受信装置。
【請求項４】
前記機械的付着手段は、クリップ形態、スナップフィット形態、及び滑り形態からなるグループから選択されていることを特徴とする請求項３記載の誘導電力受信装置。
【請求項５】
前記機械的付着手段は、前記電力受信素子と前記携帯型電子デバイスの少なくとも１の電源コネクタとの間に位置する硬質接続部を含むことを特徴とする請求項３記載の誘導電力受信装置。
【請求項６】
前記携帯型電子デバイスへの供給に先立って前記電力受信素子から受信した電力を調整するように機能する電力調整回路をさらに備えることを特徴とする請求項１記載の誘導電力受信装置。
【請求項７】
前記電力受信素子は、前記携帯型電子デバイスに比較して小型であることを特徴とする請求項１記載の誘導電力受信装置。
【請求項８】
前記電力受信素子は、前記携帯型電子デバイスに比較して薄型であることを特徴とする請求項１記載の誘導電力受信装置。
【請求項９】
前記電力受信素子によって占められる体積は、前記携帯型電子デバイスによって占められる体積に比較して小さいことを特徴とする請求項１記載の誘導電力受信装置。
【請求項１０】
前記電力受信素子は、携帯型電子デバイスに取り付けられる際に、実質的に前記デバイスのエルゴノミクスを変更しないほど十分に小さい外形寸法を有することを特徴とする請求項１記載の誘導電力受信装置。
【請求項１１】
前記装置の動作状態の所定の指示を行う指示器をさらに備えることを特徴とする請求項１記載の誘導電力受信装置。
【請求項１２】
前記電力受信素子は、実質的に平板状であることを特徴とする請求項１記載の誘導電力受信装置。
【請求項１３】
前記電力受信装置は、可撓性を有することを特徴とする前記請求項のいずれかに記載の誘導電力受信装置。
【請求項１４】
請求項１記載の携帯型電子デバイスと誘導電力受信装置との組み合せ。
【請求項１５】
前記誘導電力受信装置電源コネクタの１つは、前記誘導電力受信装置が前記携帯型電子デバイスに接続される場合に前記携帯型電子デバイスが貫通方法に適するように構成され得るように、前記携帯型電子デバイスの１またはそれ以上の電源コネクタと同様の接点を含むことを特徴とする請求項１４記載の組合せ。
【請求項１６】
前記携帯型電子デバイスの１またはそれ以上の電源コネクタは、外部機器の１またはそれ以上の電源コネクタに接続されるように構成され、
前記誘導電力受信装置は、外部機器に電気的に接続されるように構成された１またはそれ以上の外部機器電源コネクタをさらに含み、
前記誘導電力受信装置は、前記１又はそれ以上の誘導電力受信装置電源コネクタを前記１またはそれ以上の外部機器電源コネクタに電気的に接続する貫通端子装置さらに含むことを特徴とする請求項１４記載の組合せ。
【請求項１７】
前記貫通端子装置は、信号およびデータを伝送する接点を含むことを特徴とする請求項１６記載の組合せ。
【請求項１８】
前記拡張部が超えて延びる前記携帯型電子デバイスの前記面は、前記携帯型電子デバイスの下端の面であることを特徴とする請求項１記載の誘導電力受信装置。
【請求項１９】
携帯型電子デバイスに電力を供給するバッテリーを保持するように構成されたバッテリー区画を有する独立した前記携帯型電子デバイスとともに使用する誘導電力受信装置であって、独自には電磁誘導により無線で電力受信できない前記携帯型電子デバイスを電磁誘導により無線で電力受信可能にする誘導電力受信装置であり、前記携帯型電子デバイスは、１またはそれ以上の機械的コネクタを有する前記携帯型電子デバイスに従来のバッテリー区画カバーを取外し可能に取付けることができる機械構造を含んでおり、
前記誘導電力受信装置は、
前記携帯型電子デバイスの前記機械構造と機械的に相互に作用して、前記誘導電力受信装置を前記携帯型電子デバイスに取外し可能に取付ける取替えカバーと、
前記取替えカバーの内部に組み込まれるか又は前記取替えカバーの表面に設けられ、電力送信機と互いに近接する場合に前記電力送信機から電磁誘導により無線で電力を受信するように構成された誘導電力受信素子と、
前記装置が使用される際に前記電力受信素子と電気的に結合され、前記素子により受信された電力を前記携帯型電子デバイスに供給するために前記携帯型電子デバイスの１またはそれ以上の対応する電源コネクタに接続されるように構成された１またはそれ以上の誘導電力受信装置電源コネクタと
を備え、
前記誘導電力受信装置は、独自には電磁誘導により無線で電力受信できない前記携帯型電子デバイスが、電磁誘導により無線で電力受信できる携帯型電子デバイスに変わるように、前記携帯型電子デバイスの前記従来のバッテリー区画カバーと取って代わるように構成されていることを特徴とする誘導電力受信装置。
【請求項２０】
前記１またはそれ以上の誘導電力受信装置電源コネクタは、バッテリーのバッテリー端子と前記１又はそれ以上の携帯型電子デバイス電源コネクタとの間に介在される請求項１９記載の誘導電力受信装置。
【請求項２１】
前記誘導電力受信装置は、前記バッテリーの前記バッテリー端子と前記１またはそれ以上の携帯型電子デバイス電源コネクタとの間に貫通端子を含み、前記バッテリーからの電力は、前記誘導電力受信素子が無線にて電力を受信しないときに、前記携帯型電子デバイス電力コネクタに供給されることを特徴とする請求項２０記載の誘導電力受信装置。
【請求項２２】
誘導電力受信機能を備えない携帯型電子デバイスが前記誘導電力受信機能を備えるようにする構成方法であって、前記携帯型電子デバイスはバッテリーを保持するように構成されたバッテリー区画を備え、前記携帯型電子デバイスは、前記バッテリー区画の背面を形成するとともに電磁誘導により電力受信できない従来のバッテリー区画カバーを、１またはそれ以上の機械的コネクタを有する前記携帯型電子デバイスに取外し可能に取付けることができる機械構造を含んでおり、
前記従来の取替えカバーの１またはそれ以上の機械的コネクタを前記携帯型電子デバイスの前記機械構造から取り外すことにより、前記従来の取替えカバーを取外し、
電力送信機と互いに近接する場合に前記送信機から電磁誘導により無線で電力を受信するように構成された誘導電力受信素子を含む別の取替えカバー部を、前記別の取替えカバー部の１またはそれ以上の機械的コネクタを前記携帯型電子デバイスの前記機械構造に取付けることにより、前記バッテリー区画の背面を形成するように前記デバイスに取り付け、
前記誘導電力受信素子に電気的に接続される１またはそれ以上の電源コネクタを、前記誘導電力受信素子によって受信される電力が前記携帯型電子デバイスに供給されるように、前記携帯型電子デバイスの１またはそれ以上の対応する電源コネクタに接続すること
を含み、
前記別の取替えカバー部は、独自には電磁誘導により無線で電力受信できない前記携帯型電子デバイスが、電磁誘導により無線で電力受信できる携帯型電子デバイスに変わるように、前記携帯型電子デバイスの前記従来のカバーと取って代わるように構成されていることを特徴とする構成方法。
【請求項２３】
前記カバーは、独自には電磁誘導により無線で電力受信できない前記携帯型電子デバイスが、電磁誘導により無線で電力受信できる携帯型電子デバイスに変わるように、前記携帯型電子デバイスの従来のバッテリー区画カバーに取って代わるように構成された取替えカバーであることを特徴とする請求項１記載の誘導電力受信装置。
【請求項２４】
前記誘導電力受信装置は、前記携帯型電子デバイスへの供給に先立って前記電力受信素子から受信した電力を調整するように機能する電力調整回路をさらに備えることを特徴とする請求項１４記載の組合せ。
【請求項２５】
前記電力受信素子と前記１またはそれ以上の電源コネクタとの間に延びる１またはそれ以上の電気的連結部を備え、前記装置が使用されないときに、前記１またはそれ以上の電気的連結部は前記電力受信素子および／または前記１またはそれ以上の電源コネクタから取り外し可能であることを特徴とする請求項１９記載の誘導電力受信装置。
【請求項２６】
前記カバーは、前記携帯型電子デバイスの外板であることを特徴とする請求項１記載の誘導電力受信装置。
【請求項２７】
携帯型電子デバイスに電力を供給するバッテリーを有する独立した前記携帯型電子デバイスとともに使用する誘導電力受信装置であって、独自には電磁誘導により無線で電力受信できない前記携帯型電子デバイスを電磁誘導により無線で電力受信可能にする誘導電力受信装置であり、
前記携帯型電子デバイスに取付けられるカバーであって、少なくとも前記携帯型電子デバイスの背面を覆うカバーと、
前記カバーの内部に組み込まれるか又は前記カバーの表面に設けられ、電力送信機と互いに近接する場合に前記電力送信機から電磁誘導により無線で電力を受信するように構成された誘導電力受信素子と、
前記カバーが前記デバイス上に配置されたときに、前記素子により受信された電力を前記携帯型電子デバイスに供給するために前記携帯型電子デバイスの１またはそれ以上の対応する電源コネクタに接続される１またはそれ以上のデバイス電源コネクタを保持する電源コネクタ部と
を備え、
前記電源コネクタ部は、前記誘導電力受信装置に固定または準固定されており、
前記カバーを前記電子デバイス上に取付けることは、自動的に、前記電源コネクタ部の前記１またはそれ以上のデバイス電源コネクタを、前記携帯型電子デバイスの前記１またはそれ以上の対応する電源コネクタに電気的に接続させることを特徴とする誘導電力受信装置。
【請求項２８】
前記電源コネクタ部は、前記誘導電力受信装置が前記携帯型電子デバイスに接続される場合に前記携帯型電子デバイスが貫通方法に適するように構成され得るように、前記携帯型電子デバイスの１またはそれ以上の電源コネクタと同様の接点を含むことを特徴とする請求項２７記載の誘導電力受信装置。
【請求項２９】
前記携帯型電子デバイスの前記１またはそれ以上の電源コネクタは、外部機器の１またはそれ以上の対応する電源コネクタに接続されるように構成され、
前記電源コネクタ部は、外部機器に電気的に接続されるように構成された１またはそれ以上の外部機器電源コネクタをさらに含み、
前記電源コネクタ部は、前記１又はそれ以上のデバイス電源コネクタを前記１またはそれ以上の外部機器電源コネクタに電気的に接続する貫通端子装置さらに含むことを特徴とする請求項２７記載の誘導電力受信装置。
【請求項３０】
前記バッテリーの端子と前記１またはそれ以上の携帯型電子デバイス電源コネクタとの間に貫通端子を含み、前記バッテリーからの電力は、前記誘導電力受信素子が無線にて電力を受信しないときに、前記携帯型電子デバイス電力コネクタに供給されることを特徴とする請求項２７記載の誘導電力受信装置。
【請求項３１】
前記カバーは、移動体通信ネットワークの端末用の取替えカバー部であることを特徴とする請求項２７記載の誘導電力受信装置。
【請求項３２】
前記カバーは、前記携帯型電子デバイスの外板であることを特徴とする請求項２７記載の誘導電力受信装置。
【請求項３３】
前記取替えカバーは、拡張部を形成するために前記携帯型電子デバイスの面を超えて延び、前記１またはそれ以上の誘導電力受信装置電源コネクタは、前記拡張部に保持されており、前記拡張部は、前記誘導電力受信装置電源コネクタが前記携帯型電子デバイスの前記電源コネクタに電気的に結合することを許容することを特徴とする請求項１９記載の誘導電力受信装置。
【請求項３４】
前記別の取替えカバー部を取付けることは、自動的に、前記誘導電力受信素子の１またはそれ以上の電源コネクタを、前記携帯型電子デバイスの１またはそれ以上の対応する電源コネクタに電気的に接続させることを特徴とする請求項２２記載の構成方法。